(57)【要約】【課題】開き角度が小さくても自動的に扉を閉じれるオートクローズベビーゲートを提供する。【解決手段】室内通路１１に固定されて、吊元側縦枠１２、戸先側縦枠１３および下枠１４を有した枠体１５と、吊元側縦枠１２に軸支される扉１８と、扉１８を閉扉位置の方向へ常時付勢する閉扉ばね４１と、扉１８を閉扉位置でロックする上側ロック部１９とを備えたオートクローズベビーゲート１０において、扉１８の戸先部と戸先側縦枠１３との間に、閉扉位置ａに接近した扉１８を、磁力の作用により閉扉位置ａへ引き寄せる磁石４５を設けた。これにより、開き角度が小さくても自動的に扉１８を閉じることができる。【選択図】図１
0003229767.tif 000002
【実用新案登録請求の範囲】
【請求項１】
室内通路に固定されて、吊元側縦枠、戸先側縦枠および下枠を有した枠体と、前記吊元側縦枠に軸支される扉と、該扉を閉扉位置の方向へ常時付勢する閉扉ばねと、前記扉を前記閉扉位置でロックするロック手段とを備えたオートクローズベビーゲートにおいて、
前記扉の戸先部と前記戸先側縦枠との間に、前記閉扉位置に接近した前記扉を、磁力の作用により前記閉扉位置へ引き寄せる磁着手段を設けたことを特徴とするオートクローズベビーゲート。
【請求項２】
前記ロック手段は、前記扉の戸先上部に設けられて、戸先−吊元方向へ突没されるロックピンと、該ロックピンの吊元方向への引き戻し操作部材と、前記戸先側縦枠の上部に設けられて、戸先方向へ突出した前記ロックピンを受ける受部とを備え、
前記磁着手段は、前記ロックピンと前記受部との間に設けられて、これらの少なくとも一方が磁石であることを特徴とする請求項１に記載のオートクローズベビーゲート。
【請求項３】
前記ロック手段は、前記扉の戸先下部と前記下枠の戸先部との間に設けられた補助ロック手段を有し、
該補助ロック手段は、前記扉の戸先下部に設けられて、上下方向へ突没される下部ロックピンおよび該下部ロックピンを常時上方へ付勢する下部ばねと、前記下枠の戸先部に設けられて、下方へ突出した前記下部ロックピンを受ける下部受部とを有し、
前記磁着手段は、前記扉の戸先下部と前記下枠の戸先部との間に設けられた補助磁着手段を有し、
該補助磁着手段は、前記下部ロックピンと前記下部受部との間に設けられて、これらの少なくとも一方が下部磁石で、
該下部磁石は、閉扉時に前記閉扉位置に配された前記下部ロックピンを、前記下部ばねのばね力に抗して、前記下部受部まで突出させる磁力を有したものであることを特徴とする請求項１又は請求項２に記載のオートクローズベビーゲート。
【考案の詳細な説明】
【技術分野】
【０００１】
この考案は、開状態の扉が自動的に回動して閉じるオートクローズベビーゲートに関する。
【背景技術】
【０００２】
従来、子供が特定の出入口（ゲート）から出入りすることを防止するものとして、例えば、ばねの力で扉が自動的に閉まるオートクローズベビーゲート（以下、ベビーゲート）が知られている（例えば、特許文献１など）。
このベビーゲートは、室内通路の形成壁などに固定されて、吊元側縦枠と戸先側縦枠と下枠とからなる枠体と、枠体に軸支される扉と、扉を常に閉扉位置まで回動するように付勢する閉扉ばねとを有したものであった。
【０００３】
従来のベビーゲートは、扉を吊元側縦枠に軸支することで、子供が出入りできる開扉状態と、出入りを規制する閉扉状態とを得ることができる。また、閉扉ばねによって扉が常に閉扉位置へ回動付勢されているため、扉の締め忘れによる子供のゲート外への移動を防ぐことができる。
【先行技術文献】
【特許文献】
【０００４】
【特許文献１】特開２０１９−１６３６０９号公報
【考案の開示】
【考案が解決しようとする課題】
【０００５】
しかしながら、特許文献１のベビーゲートにあっては、扉を閉める際に、扉の開度が例えば３５°未満というわずかな角度位置で、ゆっくりと扉から手を離せば、閉扉ばねによって扉を閉扉位置まで回動させるための十分な付勢力が得られず、扉を自動で閉じることができなかった。
【０００６】
そこで、考案者は鋭意研究の結果、閉扉時において、扉の戸先と、戸先側縦枠との間に、閉扉位置まで接近した扉を、磁力の作用により閉扉位置へ引き寄せる磁着手段を設ければ、上述した課題は解消されることを知見し、この考案を完成させた。
【０００７】
本考案は、このような問題点に鑑みてなされたもので、開き角度が小さくても自動的に扉を閉じることができるオートクローズベビーゲートを提供することを目的としている。
【課題を解決するための手段】
【０００８】
請求項１に記載の考案は、室内通路に固定されて、吊元側縦枠、戸先側縦枠および下枠を有した枠体と、前記吊元側縦枠に軸支される扉と、該扉を閉扉位置の方向へ常時付勢する閉扉ばねと、前記扉を前記閉扉位置でロックするロック手段とを備えたオートクローズベビーゲートにおいて、前記扉の戸先部と前記戸先側縦枠との間に、前記閉扉位置に接近した前記扉を、磁力の作用により前記閉扉位置へ引き寄せる磁着手段を設けたことを特徴とするオートクローズベビーゲートである。
【０００９】
ここでいう室内通路とは、例えば、廊下、階段、玄関口などの通路を意味する。
枠体の素材は任意である。例えば、各種のプラスチック、各種の木などを採用することができる。
ここでいう扉とは、吊元側縦枠にヒンジ連結された片開き式の開き戸である。前後の何れか一方向のみに開くタイプでも、前後の両方向に開くタイプでもよい。
また、扉は通路を遮断できればよく、柵状でもパネル状でもよい。
【００１０】
ロック手段の構造は、扉の開閉をロックおよびロック解除できれば限定されない。例えば、手動式、自動式の何れでもよい。
閉扉ばねの種類は、開扉した扉を閉扉位置まで回動できれば任意である。例えば、コイルばねなどでもよい。
【００１１】
磁着手段の構成は、閉扉位置付近まで達した扉を、磁力の作用により閉扉位置へ引き寄せることができれば任意である。
磁着手段は、扉の戸先部と戸先側縦枠との少なくとも一方に磁石（永久磁石又は電磁石）が設けられたものである。例えば、扉の戸先と戸先側縦枠との何れか一方に磁石が配され、他方に鉄板などの強磁性体が配されたものでもよい。又は、扉の戸先と戸先側縦枠との両方に磁石が配されてもよい。
【００１２】
請求項２に記載の考案は、前記ロック手段は、前記扉の戸先上部に設けられて、戸先−吊元方向へ突没されるロックピンと、該ロックピンの吊元方向への引き戻し操作部材と、前記戸先側縦枠の上部に設けられて、戸先方向へ突出した前記ロックピンを受ける受部とを備え、前記磁着手段は、前記ロックピンと前記受部との間に設けられて、これらの少なくとも一方が磁石であることを特徴とする請求項１に記載のオートクローズベビーゲートである。
【００１３】
ロックピンの形状は任意である。
引き戻し操作部材は任意である。例えば、レバー式のものなどでもよい。
磁着手段は、ロックピンと受部との何れか一方に磁石が配されて、他方に鉄板などの強磁性体が配されたものでもよい。その他、ロックピンと受部との両方に磁石が配されてもよい。
【００１４】
請求項３に記載の考案は、前記ロック手段は、前記扉の戸先下部と前記下枠の戸先部との間に設けられた補助ロック手段を有し、該補助ロック手段は、前記扉の戸先下部に設けられて、上下方向へ突没される下部ロックピンおよび該下部ロックピンを常時上方へ付勢する下部ばねと、前記下枠の戸先部に設けられて、下方へ突出した前記下部ロックピンを受ける下部受部とを有し、前記磁着手段は、前記扉の戸先下部と前記下枠の戸先部との間に設けられた補助磁着手段を有し、該補助磁着手段は、前記下部ロックピンと前記下部受部との間に設けられて、これらの少なくとも一方が下部磁石で、該下部磁石は、閉扉時に前記閉扉位置に配された前記下部ロックピンを、前記下部ばねのばね力に抗して、前記下部受部まで突出させる磁力を有したものであることを特徴とする請求項１又は請求項２に記載のオートクローズベビーゲートである。
【００１５】
補助ロック手段の構造は、これらの下部ロックピン、下部ばね、下部受部を有していれば任意である。
下部ロックピンおよび下部ばねの形状はそれぞれ任意である。
補助磁着手段は、下部ロックピンと下部受部との何れか一方が下部磁石（永久磁石、電磁石）で、他方が鉄板などの強磁性体でもよい。その他、下部ロックピンと下部受部との両方が下部磁石でもよい。
【考案の効果】
【００１６】
請求項１に記載の考案によれば、オートクローズベビーゲートの閉扉時において、扉の開度がわずかな角度位置で扉から手を離した際には、扉を閉扉位置まで回動させる閉扉ばねのばね力は小さい。そのため、扉はこの閉扉位置の近傍でその回動を停止するおそれがある。
【００１７】
しかしながら、扉の戸先と戸先側縦枠との間に設けられた磁着手段の磁力の作用により、この閉扉位置の近くまで達した扉が、閉扉位置へと引き寄せられる。
これにより、開き角度が大きい場合だけでなく、小さい場合でも、扉を安定して自動閉扉することができる。
【００１８】
特に、請求項２に記載の考案によれば、オートクローズベビーゲートの閉扉時、閉扉ばねのばね力の作用で扉が閉扉位置の近傍まで達すると、仮に、このばね力による扉の回動速度が遅くても、扉のロックピンと戸先側縦枠の受部との間に配された磁着手段の磁力の作用により、扉は閉扉位置まで強制的に回動させられる。
ここで、ロックピンと受部とが正対することにより、磁石の磁力でロックピンが戸先方向へ突出して受部に差し込まれ、扉が自動的に戸先側縦枠に掛止される。
ロック解除時には、引き戻し操作部材を操作して受部からロックピンを引き抜くことで、ロック手段による扉のロック状態が解除される。
【００１９】
また、請求項３に記載の考案によれば、この閉扉時、閉扉ばねのばね力の作用で扉が閉扉位置の近傍まで達すると、仮に、このばね力による扉の回動速度が遅くても、扉のロックピンと戸先側縦枠の受部との間に配された磁着手段の磁力の作用だけでなく、扉の戸先下部と下枠の戸先部との間に配された補助磁着手段の磁力の作用も協働して、扉は閉扉位置まで強制的かつ確実に回動させられる。
これにより、扉の下部においては、下部ロックピンが下部受部と正対することで、下部磁石の磁力により下部ロックピンが下方向へ突出し、これが下部受部に差し込まれ、扉の下部は自動的に下枠の戸先部に掛止される。その結果、扉上部のロック手段と、扉下部の補助ロック手段とが協働して、扉を枠体に堅固にロックすることができる。
【００２０】
仮に、扉下部のロック構造として、従来のばねの力で外方へ突出したロックピンを受部に掛止するものを採用した際には、閉扉時、せっかく扉の回動速度が遅い扉が閉扉位置の近傍まで達しても、この突出したロックピンが、磁着手段の磁力により閉扉位置まで扉を強制回動させるのを阻止するおそれがある。
【図面の簡単な説明】
【００２１】
【図１】本考案の実施例１に係るオートクローズベビーゲートの使用状態の正面図である。
【図２】本考案の実施例１に係るオートクローズベビーゲートの閉扉および閉扉状態を示す斜視図である。
【図３】本考案の実施例１に係るオートクローズベビーゲートの扉の上軸支部の拡大断面図である。
【図４】本考案の実施例１に係るオートクローズベビーゲートの扉の下軸支部の拡大断面図である。
【図５】本考案の実施例１に係るオートクローズベビーゲートの上ロック部による閉扉状態を示す要部拡大正面図である。
【図６】本考案の実施例１に係るオートクローズベビーゲートの上ロック部による閉扉状態を示す一部断面図を含む要部拡大正面図である。
【図７】本考案の実施例１に係るオートクローズベビーゲートの上ロック部による閉扉状態を示す一部断面図を含む要部拡大正面図である。
【図８】本考案の実施例１に係るオートクローズベビーゲートの下ロック部による閉扉状態を示す一部断面図を含む要部拡大正面図である。
【図９】本考案の実施例１に係るオートクローズベビーゲートの下ロック部による開扉直後の状態を示す一部断面図を含む要部拡大断面図である。
【図１０】本考案の実施例１に係るオートクローズベビーゲートの上ロック部のロック解除の操作方法を示す一部部分拡大図を含む要部斜視図である。
【図１１】本考案の実施例１に係るオートクローズベビーゲートの下ロック部による開扉直後の状態を示す要部拡大斜視図である。
【考案を実施するための形態】
【００２２】
以下、この考案の実施例を具体的に説明する。説明の都合上、図１において、Ｘ１方向をオートクローズベビーゲートの戸先方向、Ｘ２方向をその吊元方向、Ｙ１方向をその前方向、Ｙ２方向をその後方向、Ｚ１方向をその下方向、Ｚ２方向をその上方向とする。
【実施例】
【００２３】
図１および図２において、１０は本考案の実施例１に係るオートクローズベビーゲートである。このオートクローズベビーゲート１０は、階段の上側通路（室内通路）１１に固定され、かつ吊元側縦枠１２と戸先側縦枠１３と下枠１４とを有した上向きコの字状の枠体１５と、上側軸支部１６および下側軸支部１７を介して、前，後に開放可能に吊元側縦枠１２に軸支される柵状の扉１８と、下側軸支部１７に設けられて、扉１８を閉扉位置ａの方向へ常時付勢する閉扉ばね４１（図４を参照）と、扉１８を閉扉位置ａでロック解除可能にロックする上側ロック部（ロック手段）１９と，下側ロック部（補助ロック手段、ロック手段）２０とを備えている。
【００２４】
以下、これらを具体的に説明する。
扉１８は、扉上枠２１と扉下枠２２との間に８本の扉縦枠２３が所定ピッチで掛け渡された縦格子状の柵である。
また、図１および図２に示すように、枠体１５を構成するＸ２側の吊元側縦枠１２、Ｘ１側の戸先側縦枠１３およびＺ１側の下枠１４は、それぞれプラスチック製の部材である。
枠体１５の四隅の外側には、階段の上側通路１１の左，右の壁面に対して、枠体１５を突っ張り状態で平行に固定するための、ボルトナット式のアジャスタ２４が合計４つ配設されている。なお、上側通路１１の左，右の壁面と枠体１５との隙間が大きい場合には、図２に示すように、左右一対の追加の延長縦枠２５を連結してもよい。
【００２５】
また、図１および図３に示すように、吊元側縦枠１２の上端部には、Ｘ１−Ｘ２方向へ長い流線形をした上側軸支部１６のうち、略Ｘ２側の半分である上側軸支本体ケース２６が固定されている。上側軸支本体ケース２６のＸ１側の下端部には、舌片状の延出部２７が一体形成されている。この延出部２７の中央部には上，下面を貫通する貫通穴２８が形成されている。また、延出部２７の上面の中央部には、下端開口が貫通穴２８と連通する円筒軸２９が一体形成されている。
図３において、円筒軸２９のＸ２側の上角部は傾斜カット面２９ａとなり、かつ円筒軸２９のＸ１側の上角部には、水平な段差部２９ｂが形成されている。
【００２６】
一方、上側軸支部１６の略Ｘ１側の半分である上側回動ケース３０は、その中央部内に、下端開口から円筒軸２９がＺ１−Ｚ２方向へスライド自在に収納される、断面円形のスライド穴３１が陥没形成されている。
また、図３において、スライド穴３１の形成壁のうちのＸ２側の奥部は、前記傾斜カット面２９ａと平行な傾斜面３１ａで、かつスライド穴３１の形成壁のうちのＸ１側の奥部は、前記水平な段差部２９ｂと平行な水平面３１ｂとなっている。さらには、スライド穴３１の奥面の中央部には、スライド穴３１の全長にかけて、細長い円柱ピン３２が下方へ一体的に形成されている。
【００２７】
円柱ピン３２の先端面にはビス孔が形成されている。この円柱ピン３２とスライド穴３１との間には、上方スライドした円筒軸２９が下方へ戻る際の上側軸支部１６のクッション（ショックアブソーバ）となる大径なコイルスプリング３３が収納されている。このコイルスプリング３３は、ビス孔にねじ込まれるビス３４に挿着されたワッシャ３５を介して、スライド穴３１に収納されている。
【００２８】
図１および図４に示すように、下側軸支部１７は、下枠１４のＸ２側の端部の上面から突出したピン軸３６と、扉下枠２２のＸ２側の端部に固定された、小型で横長矩形状の下側回動ケース３７とを有している。下側回動ケース３７の下板３８のＸ２側の端部には、ピン軸３６より大径なピン挿通穴３９が形成されている。また、下側回動ケース３７の上板のＸ２側の端部には、ピン挿通穴３９からケース内に挿入されたピン軸３６の上部をスライド自在に収納する外筒４０が垂設されている。
閉扉ばね４１はコイルばねで、その上端部が外筒４０の下端部に固定される一方、その下端部がピン軸３６の基端部に固定されている。
【００２９】
次に、図１、図５〜図７および図１０を参照して、上側ロック部１９について説明する。
図１および図５に示すように、戸先側縦枠１３の上端部には、Ｘ１−Ｘ２方向へ長い大型の流線形をした上側ロック部１９のうち、略Ｘ１側の半分である上側ロック本体ケース４２が固定されている。
上側ロック本体ケース４２のＸ２側の端板の中央部に、後述するロックピン４３を受ける角形の凹部である受部４４が陥没形成されている。
上側ロック本体ケース４２の内部空間のうち、受部４４の奥部分の近傍には、磁石（磁着手段）４５が設けられている。
【００３０】
一方、扉１８の扉上枠２１のＸ１側の端部には、上側ロック部１９のうち、略Ｘ２側の半分である上側ロック操作ケース４６が固定されている。
上側ロック操作ケース４６の内部空間は、その全長にわたって、Ｘ１−Ｘ２方向に長い水平な仕切り板４７により、上下に仕切られている。このうち、上側の空間には扉上枠２１が装着される。
【００３１】
また、上側ロック操作ケース４６の内部空間のうち、Ｘ１側の端部には、正面視して矩形枠状のロック操作空間４８が配されている。
このロック操作空間４８は、前記仕切り板４７によって、ロック解除レバー（引き戻し操作部材）４９がＸ１−Ｘ２方向へ移動するレバー移動空間（上側の空間）５０と、ロックピン４３がＸ１−Ｘ２方向へ突没するピン移動空間（下側の空間）５１とに２分割されている。ロック解除レバー４９は、受部４４に差し込まれたロックピン４３を引き抜くための部材で、逆Ｌ字状のレバー本体５２と、レバー本体５２の上端部に固定されて、Ｘ１−Ｘ２方向に長い指操作板５３とを有している。
【００３２】
ロック操作空間４８の上壁形成板５４のＹ１−Ｙ２方向の中間部には、レバー本体５２の上端部が挿通されるためのＸ１−Ｘ２方向へ長い上側長孔５５が形成されている。なお、ロック操作空間４８には、ロック解除レバー４９を常時Ｘ１方向へ付勢するレバー用コイルばね５６が収納されている。
一方、ロック操作空間４８の下壁形成板（仕切り板４７のＸ１の側の端部）５７のＹ１−Ｙ２方向の中間部には、後述するロックピン４３の本体ブロック５８の上面に突設された引き戻し突起６９が挿通される、Ｘ１−Ｘ２方向へ長い下側長孔が形成されている。
また、ピン移動空間５１の下壁形成板５７のＹ１−Ｙ２方向の中間部には、前記本体ブロック５８の下面に垂設されたスライド突起５９を、Ｘ１−Ｘ２方向へスライドさせるための、同方向へ細長い樋状のスライド溝６０が陥没形成されている。
【００３３】
さらに、上側ロック操作ケース４６のＸ１側の端板には、その中央部に、ピン移動空間５１と連通してロックピン４３が突没される、矩形状のピン突没口６１が形成されている。
ピン突没口６１の直上には、レバー移動空間５０と連通して、ロック解除レバー４９をＸ１−Ｘ２方向へ移動させるための縦長矩形状のレバー操作口６２が形成されている。なお、図示しないものの、レバー本体５２には、レバー操作口６２からの滑落を防止するストッパが形成されている。
また、上側ロック操作ケース４６のＹ１−Ｙ２側の前，後板のＸ１側の端部には、ピン移動空間５１のＸ１側の端部付近に、半割楕円形状の前後一対の安全確認窓６３がそれぞれ形成されている。
【００３４】
次に、図６，図７および図１０を参照して、ロックピン４３について詳細に説明する。
ロックピン４３は、平面視して矩形状の本体ブロック５８を有している。本体ブロック５８のＸ１側の面のＹ１−Ｙ２方向の中間部に、短尺な角棒であるロックピン４３がＸ１方向へ突出している。このロックピン４３と本体ブロック５８のＸ１側の半分とは、赤色に着色されている。また、本体ブロック５８のＸ２側の半分は緑色に着色されている。
このロックピン４３が受部４４に差し込まれる閉扉時には、各安全確認窓６３から本体ブロック５８のＸ２側の部分の緑色が露出する。一方、ロックピン４３がピン移動空間５１に引き戻される開扉時には、各安全確認窓６３から本体ブロック５８のＸ１側の部分の赤色が露出する。
【００３５】
ロックピン４３のＸ１側の端面には、円形の凹部６４が陥没形成されている。この凹部６４には、強磁性体である鉄製の短尺なスリーブ（磁着手段）６５が挿入されている。このスリーブ６５は、鉄ビス（磁着手段）６６を介して、凹部６４の奥部に固定されている。なお、これらのスリーブ６５および鉄ビス６６は、オートクローズベビーゲート１０の長期使用により、磁石４５の磁界の影響により磁石化することがある。
【００３６】
また、本体ブロック５８のＹ１−Ｙ２側の端部には、Ｘ１側の端面からＸ２側の端部付近にまで達する細長い左右一対のばね孔６７が、それぞれ形成されている。各ばね孔６７には、上側ロック操作ケース４６のＸ１側の端板と各ばね孔６７の奥部との間で、ロックピン４３を含む本体ブロック５８を、常にＸ２方向へ付勢するための、左右一対の細長いロックピン引き戻しばね６８が、それぞれ収納されている。
【００３７】
次に、図１、図８、図９および図１１を参照して、下側ロック部２０について説明する。
図１および図８に示すように、扉下枠２２の戸先側の端部には、Ｘ１−Ｘ２方向へ長い小型の矩形箱である、下側ロック本体ケース７０が固定されている。
下側ロック本体ケース７０の下板７１の中央部には鉄製の下部ロックピン７２が突没される突没小孔７１ａが形成されている。下部ロックピン７２の胴部には、下部ロックピン７２を常時上方付勢するばね力の小さい下部コイルばね７３が挿通されている。また、下側ロック本体ケース７０の内部空間のうち、突没小孔７１ａのＸ１側付近とＸ２側付近とには、下部ロックピン７２のＺ１−Ｚ２方向への突没をガイドする、左右一対のピンガイド支柱７４が配されている。
【００３８】
一方、枠体１５の下枠１４の戸先側の端部の上板には、下部ロックピン７２を受ける平面視して矩形状の凹部である、下部受部７５が陥没形成されている。
下枠１４の内部空間のうち、下部受部７５の奥部分の近傍には、下部ロックピン７２を磁着するための下部磁石７６が配されている。
【００３９】
次に、図１〜図１１を参照して、本考案の実施例１に係るオートクローズベビーゲート１０の使用方法を説明する。
図１および図２に示すように、大人がオートクローズベビーゲート１０を通過する際には、まず扉１８を開く。
具体的には、上側ロック部１９の上側ロック操作ケース４６を握り、ロック解除レバー４９の指操作板５３をＸ２方向へスライドさせる（図７および図１０を参照）。
これにより、レバー本体５２がＸ２方向へ移動し、引き戻し突起６９を介して、ロックピン４３と本体ブロック５８とはＸ２方向へスライドする。このとき、ロックピン４３には、受部４４のＸ１側近傍に配された磁石４５の磁界による、鉄ビス６６および鉄製のスリーブ６５をＸ１方向へ引き寄せる力が作用し、ロックピン４３は上側ロック本体ケース４２の受部４４に差し込められている（図６を参照）。
【００４０】
そして、指操作板５３にかけたＸ２方向への指力が、レバー用コイルばね５６のばね力と、磁石４５の磁力との合力を超えた時、ロック解除レバー４９がＸ２方向へ移動し、引き戻し突起６９を介して、ロックピン４３と本体ブロック５８とがＸ２方向へスライドする。これにより、ロックピン４３が受部４４から引き抜かれてピン移動空間５１に戻され、上側ロック部１９のロック状態が解除される（図７を参照）。
【００４１】
次に、図２に示すように、この状態を維持して、上側ロック操作ケース４６を持ち上げれば、扉１８が若干上方へスライドし、下側ロック部のロック状態も解除される（図１１を参照）。具体的には、この上側ロック操作ケース４６の持ち上げにより、上側軸支部１６の上側軸支本体ケース２６が、円筒軸２９をスライドガイドにして若干上昇する（図３を参照）一方、下側軸支部１７においては、下側回動ケース３７と一体の外筒４０が、閉扉ばね４１のばね力に抗して、ピン軸３６をスライドガイドにして幾らか上昇する（図４を参照）。これにより、扉１８の全体が若干持ち上げられ、下部ロックピン７２が下部磁石７６の磁界から外れる。これにより、下部コイルばね７３のばね力により、下部ロックピン７２が下側ロック本体ケース７０の中へ引き込められる。
【００４２】
その後、閉扉ばね４１のばね力に抗して、上，下側軸支部１７を中心にして扉１８を、図２の細線矢印方向へ回動させて開扉する。なお、この開扉角度が９０°であれば、スライド穴３１の奥部の傾斜面の下端縁に、円筒軸２９の水平な段差部２９ｂが引っ掛かり、扉１８は全開状態でロックされる。
次に、大人がオートクローズベビーゲート１０を通過後、この全開状態でロックされた扉１８に対して、手で閉扉方向へ力を作用させる。これにより、段差部２９ｂによる扉１８の掛止状態が解除され、扉１８の全開による閉扉ばね４１の大きなばね力によって、扉１８は上，下側軸支部１７を中心にして、図２の太線矢印の方向へ回動する（戻る）。
【００４３】
その後、扉１８が閉扉位置ａに達すると、ロックピン４３と受部４４とが正対して、磁石４５の大きな磁力によりロックピン４３が、各ロックピン引き戻しばね６８の小さなばね力に抗して、Ｘ１方向（戸先方向）へ突出して受部４４に差し込まれ、上側ロック部１９がロックされる。これと同時に、下部ロックピン７２と下部受部７５とが正対して、下部磁石７６の大きな磁力の作用により、下部コイルばね７３の小さなばね力に抗して、下部ロックピン７２が下部受部７５に差し込まれることにより、扉１８が自動的に戸先側縦枠１３とした枠とにそれぞれ掛止される。
【００４４】
ところで、閉扉時において、扉１８の開度が３５°未満となる、わずかな角度位置で扉１８から手を離した際には、扉１８を閉扉位置ａまで回動させる閉扉ばね４１のばね力は小さい。そのため、従来の扉はこの閉扉位置ａの近傍でその回動を停止するおそれがある。
しかしながら、上側ロック部１９に配された磁石４５の磁力の作用により、この閉扉位置ａの近くまで達した扉１８が、閉扉位置ａへと引き寄せられる。これにより、開き角度が大きい場合だけでなく、小さい場合でも、扉１８を安定して自動閉扉することができる。
【００４５】
すなわち、オートクローズベビーゲート１０の閉扉時、閉扉ばね４１のばね力の作用で扉１８が閉扉位置ａの近傍まで達すると、仮に扉１８の開度が小さくて、ばね力による扉１８の回動速度が遅くても、扉の回動速度に拘わりなく磁石４５の磁力の作用により、鉄ビス６６およびスリーブ６５が引き寄せられて、扉１８は閉扉位置ａまで強制的に回動させられる。ここで、ロックピン４３と受部４４とが正対することにより、磁石４５の磁力でロックピン４３が戸先方向へ突出して受部４４に差し込まれ、扉１８が自動的に戸先側縦枠１３に掛止される。
【００４６】
また、扉１８の下部においても、この扉１８の開度が、例えば３５°未満のわずかな角度での閉扉時であっても、閉扉ばね４１のばね力の作用で扉１８が閉扉位置ａの近傍まで達すると、下部磁石７６の磁力により下部ロックピン７２が引き寄せられて、扉１８は閉扉位置ａまで強制的に回動させられる。ここで、下部ロックピン７２が下部受部７５と正対することで、下部磁石７６の磁力により下部ロックピン７２が下方向へ突出して下部受部７５に差し込まれ、その結果、扉１８の下部は自動的に下枠１４の戸先部に掛止される。
【００４７】
このように、オートクローズベビーゲート１０では、わずかな角度位置で扉１８から手を離した際にも、扉１８のロックピン４３と戸先側縦枠１３の受部４４との間に配された磁着手段４５，６５，６６の磁力の作用だけでなく、扉１８の戸先下部と下枠１４の戸先部との間に配された補助磁着手段７２，７６の磁力の作用も協働して、扉１８を閉扉位置ａまで強制的かつ確実に回動させることができる。その後、扉上部の上側ロック部１９と、扉下部の下側ロック部２０とが協働して、扉１８を枠体１５に堅固にロックすることができる。
【００４８】
また、このロックピン４３が受部４４に差し込まれる閉扉時には、各安全確認窓６３から本体ブロック５８のＸ２側の部分の緑色が露出することで、安全な閉扉状態を視覚的に報知することができる。一方、ロックピン４３がピン移動空間５１に引き戻される開扉時には、各安全確認窓６３から本体ブロック５８のＸ１側の部分の赤色が露出することで、子供がゲート外に出るおそれがある危険な開扉状態を報知することができる。
【００４９】
なお、仮に扉下部のロック構造として、従来のばねの力で外方へ突出したロックピンを受部に掛止するものを採用した場合には、閉扉時、せっかく扉の回動速度が遅い扉が閉扉位置の近傍まで達しても、この突出したロックピンが、磁着手段４５，６５，６６の磁力により閉扉位置ａまで扉１８を強制回動させるのを阻止するおそれがあり、好ましくない。
【産業上の利用可能性】
【００５０】
この考案は、開状態の扉が自動的に回動して閉じるオートクローズベビーゲートの技術として有用である。
【符号の説明】
【００５１】
１０  オートクローズベビーゲート
１１  室内通路
１２  吊元側縦枠
１３  戸先側縦枠
１４  下枠
１５  枠体
１８  扉
１９  上側ロック部（ロック手段）
２０  下側ロック部（補助ロック手段、ロック手段）
４１  閉扉ばね
４３  ロックピン
４５  磁石（磁着手段）
４９  ロック解除レバー（引き戻し操作部材）
６５  スリーブ（磁着手段）
６６  鉄ビス（磁着手段）
７２  下部ロックピン（補助磁着手段）
７３  下部ばね
７５  下部受部
７６  下部磁石（補助磁着手段）
ａ  閉扉位置
【図１】
0003229767.tif 000003
【図２】
0003229767.tif 000004
【図３】
0003229767.tif 000005
【図４】
0003229767.tif 000006
【図５】
0003229767.tif 000007
【図６】
0003229767.tif 000008
【図７】
0003229767.tif 000009
【図８】
0003229767.tif 000010
【図９】
0003229767.tif 000011
【図１０】
0003229767.tif 000012
【図１１】
0003229767.tif 000013
【手続補正書】
【提出日】令和2年10月6日(2020.10.6)
【手続補正１】
【補正対象書類名】実用新案登録請求の範囲
【補正対象項目名】全文
【補正方法】変更
【補正の内容】
【実用新案登録請求の範囲】
【請求項１】
室内通路に固定されて、吊元側縦枠、戸先側縦枠および下枠を有した枠体と、前記吊元側縦枠に軸支される扉と、該扉を閉扉位置の方向へ常時付勢する閉扉ばねと、前記扉を前記閉扉位置でロックするロック手段とを備えたオートクローズベビーゲートにおいて、
前記扉の戸先部と前記戸先側縦枠との間に、前記閉扉位置に接近した前記扉を、磁力の作用により前記閉扉位置へ引き寄せる磁着手段を設けたことを特徴とするオートクローズベビーゲート。
【請求項２】
前記ロック手段は、前記扉の戸先上部に設けられて、戸先−吊元方向へ突没されるロックピンと、該ロックピンの吊元方向への引き戻し操作部材と、前記戸先側縦枠の上部に設けられて、戸先方向へ突出した前記ロックピンを受ける受部とを備え、
前記磁着手段は、前記ロックピンと前記受部との間に設けられて、これらの少なくとも一方が磁石であることを特徴とする請求項１に記載のオートクローズベビーゲート。
【請求項３】
前記ロック手段は、前記扉の戸先下部と前記下枠の戸先部との間に設けられた補助ロック手段を有し、
該補助ロック手段は、前記扉の戸先下部に設けられて、上下方向へ突没される下部ロックピンおよび該下部ロックピンを常時上方へ付勢する下部ばねと、前記下枠の戸先部に設けられて、下方へ突出した前記下部ロックピンを受ける下部受部とを有し、
前記磁着手段は、前記扉の戸先下部と前記下枠の戸先部との間に設けられた補助磁着手段を有し、
該補助磁着手段は、前記下部ロックピンと前記下部受部との間に設けられて、これらの少なくとも一方が下部磁石で、
該下部磁石は、閉扉時に前記閉扉位置に配された前記下部ロックピンを、前記下部ばねのばね力に抗して、前記下部受部まで突出させる磁力を有したものであることを特徴とする請求項１に記載のオートクローズベビーゲート。